(57)【特許請求の範囲】
【請求項１】
１乃至複数の光源の点灯状態を制御する制御部と、
前記制御部による前記光源の制御内容を設定する設定スイッチを有する設定部と、
自局の識別情報が付加された無線信号を送信する無線送信部を有し、当該無線送信部を用いて前記光源の点灯状態を指示する指示信号を送信する発信器と、
前記発信器の前記識別情報が登録された記憶部を有しており、前記指示信号を受信し、当該指示信号に付加された前記識別情報と、前記記憶部に登録された前記識別情報とが一致する場合、前記制御部に前記指示信号を送信する受信器とを備え、
前記設定スイッチは、前記受信器と別体に構成され、
前記設定スイッチが操作された場合、前記設定部は前記制御部に設定信号を送信し、
前記制御部は、前記設定信号を受信した場合、前記受信器に登録準備信号を送信し、
前記受信器は、前記登録準備信号を受信した場合、前記記憶部に前記識別情報を登録する登録モードに移行し、当該登録モードに移行した前記受信器は、前記発信器から送信される前記無線信号を受信した場合、当該無線信号に付加された前記識別情報を前記記憶部に登録することを特徴とする照明制御システム。
【請求項２】
前記受信器は、複数個で構成され、
前記制御部は、前記設定信号を受信した場合、前記受信器を互いに所定時間ずつずらして前記登録モードに移行させる前記登録準備信号を、前記受信器に送信することを特徴とする請求項１記載の照明制御システム。
【請求項３】
前記受信器は、複数個で構成され、各々が固有情報を有しており、
前記制御部は、前記設定信号を受信した場合、前記受信器に前記登録準備信号を送信し、前記受信器が前記登録モードに移行すると、前記受信器は前記固有情報が付加された準備完了信号を無線で前記発信器に送信し、
前記発信器は、無線信号を受信する無線受信部と、当該無線受信部が受信した無線信号の電波強度を測定する測定部とを有しており、前記無線受信部が複数の前記受信器から送信される前記準備完了信号を受信した場合、前記無線送信部は、前記測定部の測定結果に基づいて、電波強度が最大の前記準備完了信号を送信した前記受信器に対して、当該受信器の前記固有情報と前記発信器の前記識別情報とが付加され、前記識別情報の登録を要求する登録要求信号を前記受信器に送信し、
前記受信器は、前記登録要求信号に付加された前記固有情報と、自局の前記固有情報とが一致した場合、前記登録要求信号に付加された前記識別情報を前記記憶部に登録することを特徴とする請求項１記載の照明制御システム。
【請求項４】
前記受信器は、複数個で構成され、各々が固有情報を有しており、
前記制御部は、前記設定信号を受信した場合、前記受信器に前記登録準備信号を送信し、前記受信器が前記登録モードに移行すると、前記受信器は前記固有情報が付加された準備完了信号を無線で前記発信器に送信し、
前記発信器は、無線信号を受信する無線受信部と、当該無線受信部が受信した無線信号の電波強度を測定する測定部とを有し、
前記無線受信部が複数の前記受信器から送信される前記準備完了信号を受信した場合、前記測定部は、前記準備完了信号の電波強度を測定し、前記無線送信部は、前記測定部の測定結果に基づいて、前記準備完了信号の電波強度が大きい順に順次１つずつ前記受信器を選択し、選択した前記受信器に対して、当該受信器の前記固有情報と前記発信器の前記識別情報とが付加され、当該識別情報の登録を要求する登録要求信号を送信し、
前記受信器は前記登録要求信号を受信し、当該登録要求信号に付加された前記固有情報と、自局の前記固有情報とが一致した場合、登録確認モードに移行し、当該登録確認モードに移行した前記受信器は、当該受信器に設けられた報知部が報知動作を行い、
前記受信器は、前記報知部が前記報知動作を行っている状態において、前記無線送信部が送信する登録確定信号を受信した場合、前記記憶部に前記発信器の前記識別情報を登録することを特徴とする請求項１記載の照明制御システム。
【請求項５】
操作に応じた前記光源の点灯状態を指示する指示信号を、前記制御部に送信する点灯制御スイッチ部を備えることを特徴とする請求項１乃至４のいずれか１項に記載の照明制御システム。
【発明の詳細な説明】
【技術分野】
【０００１】
本発明は、照明制御システムに関するものである。
【背景技術】
【０００２】
従来、２線式の信号線で操作部と制御部とが接続され、照明を集中制御，監視する照明制御システムが提供されている。この照明制御システムは、ユーザーが操作する操作部と、この操作部と信号線で接続され、操作部から出力される制御信号に基づいて１乃至複数の照明を点灯・消灯する制御部とで構成されている。そして、操作部を操作することにより、複数の照明を同時に点灯・消灯するグループ制御や、点灯させる照明を選択して照明シーンの切り替えを行うパターン制御を行うことができる。
【０００３】
また、操作部の代わりに無線信号からなる制御信号を送信する発信器と、この制御信号を受信し、この制御信号を信号線を介して制御部に出力する受信器とを備え、遠隔制御が可能な照明制御システムが提案されている（例えば、特許文献１参照）。
【０００４】
特定小電力無線などを用いた発信器は、電波到達範囲が数十ｍと広範囲なため、他のシステムの受信器や設備との混信および誤動作を防止するために、受信器に発信器の識別情報を登録する必要がある。受信器は、登録された発信器から送信された制御信号のみを、操作部に出力する。
【０００５】
受信器に発信器の識別情報を登録する方法を図５を用いて説明する。図５は受信器１０１と発信器１０２の外観斜視図を示している。
【０００６】
まず、受信器１０１に設けられている登録スイッチ１０１ａを操作して、受信器１０１を登録モードに移行させる。次に、発信器１０２に設けられた登録スイッチ１０２ａを操作して、自局の識別情報が付加された登録要求信号を受信器１０１に送信する。受信器１０１は、登録モード状態で登録要求信号を受信すると、この登録要求信号に付加された識別情報を図示しない記憶部に登録する。そして、再び登録スイッチ１０１ａを操作することで、受信器１０１の登録モードは解除される。
【先行技術文献】
【特許文献】
【０００７】
【特許文献１】特開平９−６５４６２号公報
【発明の概要】
【発明が解決しようとする課題】
【０００８】
しかし、従来では受信器１０１に発信器１０２の識別情報を登録する際に、受信器１０１の登録スイッチ１０１ａを操作する必要があった。通常、受信器１０１は、高所の壁や天井などに設置されることが多い。そのため、受信器１０１を登録モードに移行させるために、登録スイッチ１０１ａを操作することが困難であり、作業性に問題があった。
【０００９】
本発明は、上記事由に鑑みてなされたものであり、その目的は、受信器に登録スイッチを設けることなく、簡易な方法で受信器に発信器を登録することができる照明制御システムを提供することにある。
【課題を解決するための手段】
【００１０】
本発明の照明制御システムは、１乃至複数の光源の点灯状態を制御する制御部と、前記制御部による前記光源の制御内容を設定する設定スイッチを有する設定部と、自局の識別情報が付加された無線信号を送信する無線送信部を有し、当該無線送信部を用いて前記光源の点灯状態を指示する指示信号を送信する発信器と、前記発信器の前記識別情報が登録された記憶部を有しており、前記指示信号を受信し、当該指示信号に付加された前記識別情報と、前記記憶部に登録された前記識別情報とが一致する場合、前記制御部に前記指示信号を送信する受信器とを備え、前記設定スイッチは、前記受信器と別体に構成され、前記設定スイッチが操作された場合、前記設定部は前記制御部に設定信号を送信し、前記制御部は、前記設定信号を受信した場合、前記受信器に登録準備信号を送信し、前記受信器は、前記登録準備信号を受信した場合、前記記憶部に前記識別情報を登録する登録モードに移行し、当該登録モードに移行した前記受信器は、前記発信器から送信される前記無線信号を受信した場合、当該無線信号に付加された前記識別情報を前記記憶部に登録することを特徴とする。
【００１１】
この照明制御システムにおいて、前記受信器は、複数個で構成され、前記制御部は、前記設定信号を受信した場合、前記受信器を互いに所定時間ずつずらして前記登録モードに移行させる前記登録準備信号を、前記受信器に送信することが好ましい。
【００１２】
この照明制御システムにおいて、前記受信器は、複数個で構成され、各々が固有情報を有しており、前記制御部は、前記設定信号を受信した場合、前記受信器に前記登録準備信号を送信し、前記受信器が前記登録モードに移行すると、前記受信器は前記固有情報が付加された準備完了信号を無線で前記発信器に送信し、前記発信器は、無線信号を受信する無線受信部と、当該無線受信部が受信した無線信号の電波強度を測定する測定部とを有しており、前記無線受信部が複数の前記受信器から送信される前記準備完了信号を受信した場合、前記無線送信部は、前記測定部の測定結果に基づいて、電波強度が最大の前記準備完了信号を送信した前記受信器に対して、当該受信器の前記固有情報と前記発信器の前記識別情報とが付加され、前記識別情報の登録を要求する登録要求信号を前記受信器に送信し、前記受信器は、前記登録要求信号に付加された前記固有情報と、自局の前記固有情報とが一致した場合、前記登録要求信号に付加された前記識別情報を前記記憶部に登録することが好ましい。
【００１３】
この照明制御システムにおいて、前記受信器は、複数個で構成され、各々が固有情報を有しており、前記制御部は、前記設定信号を受信した場合、前記受信器に前記登録準備信号を送信し、前記受信器が前記登録モードに移行すると、前記受信器は前記固有情報が付加された準備完了信号を無線で前記発信器に送信し、前記発信器は、無線信号を受信する無線受信部と、当該無線受信部が受信した無線信号の電波強度を測定する測定部とを有し、前記無線受信部が複数の前記受信器から送信される前記準備完了信号を受信した場合、前記測定部は、前記準備完了信号の電波強度を測定し、前記無線送信部は、前記測定部の測定結果に基づいて、前記準備完了信号の電波強度が大きい順に順次１つずつ前記受信器を選択し、選択した前記受信器に対して、当該受信器の前記固有情報と前記発信器の前記識別情報とが付加され、当該識別情報の登録を要求する登録要求信号を送信し、前記受信器は前記登録要求信号を受信し、当該登録要求信号に付加された前記固有情報と、自局の前記固有情報とが一致した場合、登録確認モードに移行し、当該登録確認モードに移行した前記受信器は、当該受信器に設けられた報知部が報知動作を行い、前記受信器は、前記報知部が前記報知動作を行っている状態において、前記無線送信部が送信する登録確定信号を受信した場合、前記記憶部に前記発信器の前記識別情報を登録することを特徴とするが好ましい。
【００１４】
この照明制御システムにおいて、操作に応じた前記光源の点灯状態を指示する指示信号を、前記制御部に送信する点灯制御スイッチ部を備えることが好ましい。
【発明の効果】
【００１５】
以上説明したように、本発明では、受信器に登録スイッチを設けることなく、簡易な方法で受信器に発信器を登録することができるという効果がある。
【図面の簡単な説明】
【００１６】
【図１】本発明の照明制御装置の実施形態１のブロック構成図である。
【図２】同上に用いられる伝送信号の概略を示す図である。
【図３】同上の実施形態２のブロック構成図である。
【図４】同上の実施形態３のブロック構成図である。
【図５】従来の発信器と受信器の外観斜視図である。
【発明を実施するための形態】
【００１７】
以下、本発明の実施の形態を図面に基づいて説明する。
【００１８】
（実施形態１）
本実施形態の照明制御システムのブロック構成図を図１に示す。本実施形態の照明制御システムは、制御部１とスイッチ部２と発信器３と受信器４とで構成されている。
【００１９】
制御部１は、伝送ユニット１１と、リレー制御用ターミナルユニット１２（以下、リレー制御用Ｔ／Ｕ１２と称す）と、複数のリモコンリレー１３と、リモコントランス１４とで構成されている。
【００２０】
リレー制御用Ｔ／Ｕ１２とスイッチ部２と受信器４とは、伝送ユニット１１と互いに２線式の信号線Ｌで接続されている。また、各機器（リレー制御用Ｔ／Ｕ１２，スイッチ部２，受信器４）には、個別のアドレスが設定されており、このアドレスを用いて伝送ユニット１１はリレー制御用Ｔ／Ｕ１２またはスイッチ部２または受信器４にアクセスする。
【００２１】
伝送ユニット１１は信号線Ｌに対して、図２（ａ）に示すフォーマットの伝送信号Ｓを送信する。伝送信号Ｓは、同期信号ＳＹ、モードデータＭＤ、アドレスデータＡＤ、制御データＣＤ、チェックサムデータＣＳ、信号返信期間ＷＴとからなる双極性の時分割多重信号で構成され、パルス幅変調によってデータが伝送される（図２（ｂ）参照）。同期信号ＳＹは、伝送信号Ｓの信号送信開始を示している。モードデータＭＤは、伝送信号Ｓのモードを示している。アドレスデータＡＤは、各機器（リレー制御用Ｔ／Ｕ１２，スイッチ部２，受信器４）を個別に特定し、制御データＣＤは各機器への制御内容を示す。チェックサムデータＣＳは、伝送誤りを検出するためのデータである。信号返信期間ＷＴは、各機器からの返信信号（監視データ）を受信するタイムスロットである。各機器は、信号線Ｌを介して受信した伝送信号Ｓにより伝送されたアドレスデータＡＤが予め設定されているアドレスに一致すると、制御データＣＤを取り込むと共に、信号返信期間ＷＴに返信信号を電流モード信号として返信する。
【００２２】
伝送ユニット１１から所望の機器にデータを伝送する場合について説明する。ここでは、伝送ユニット１１からリレー制御用Ｔ／Ｕ１２にデータを伝送する場合として説明する。伝送ユニット１１からデータを伝送する場合には、モードデータＭＤを制御モードとし、リレー制御用Ｔ／Ｕ１２のアドレスをアドレスデータＡＤとする伝送信号Ｓを送信する。このアドレスデータＡＤに一致するリレー制御用Ｔ／Ｕ１２が制御データＣＤを受け取り、信号返信期間ＷＴに監視（状態）データを返信する。伝送ユニット１１では、送信した制御データＣＤと信号返信期間ＷＴに受信した監視データとの関係によって、制御データＣＤがリレー制御用Ｔ／Ｕ１２に伝送されたことを確認する。また、制御データＣＤを受け取ったリレー制御用Ｔ／Ｕ１２は、制御データＣＤが示す制御内容に基づいて動作する。
【００２３】
一方、伝送ユニット１１に対して、各機器からデータを伝送する場合について説明する。ここでは、スイッチ部２から伝送ユニット１１にデータを伝送する場合として説明する。スイッチ部２は、伝送信号Ｓの同期信号ＳＹに同期させて図２（ｃ）に示すような割込信号を発生させる。伝送ユニット１１は、割込信号を受信すると、モードデータＭＤを割込ポーリングモードとする。そして、アドレスデータＡＤの上位の半数のビット（アドレスデータＡＤを８ビットとすれば上位４ビット）を順次増加させながら伝送信号Ｓを送信する。割込信号を発生したスイッチ部２では、割込ポーリングモードの伝送信号ＳのアドレスデータＡＤの上位４ビットが機器に設定されているアドレスの上位４ビットに一致する場合、信号返信期間ＷＴにアドレスの下位４ビットを伝送ユニット１１に返信する。このように、伝送ユニット１１は、割込信号を発生したスイッチ部２を１６個ずつまとめて探すので、比較的短い時間で機器を発見することができる。
【００２４】
伝送ユニット１１が割込信号を発生したスイッチ部２のアドレスを獲得すると、モードデータＭＤを監視モードとする。そして、獲得したスイッチ部２のアドレスをアドレスデータＡＤに持つ伝送信号Ｓを送信し、この伝送信号Ｓに対してスイッチ部２は伝送しようとする情報を信号返信期間ＷＴに返信する。最後に、伝送ユニット１１は割込信号を発生したスイッチ部２に対して割込リセットを指示する信号を送信し、スイッチ部２の割込フラグを解除する。
【００２５】
このようにして、伝送ユニット１１と各機器（リレー制御用Ｔ／Ｕ１２，スイッチ部２，受信器４）との間で信号線Ｌを解してデータが伝送される。
【００２６】
次に、本実施形態の照明制御システムの構成について説明する。
【００２７】
リレー制御用Ｔ／Ｕ１２には、４つのリモコンリレー１３が接続されており、各リモコンリレー１３には、負荷である光源５が接続されている。光源５は、例えば放電灯やＬＥＤなどで構成されている。また、各リモコンリレー１３は、リモコントランス１４から電源供給されており、リモコン制御用Ｔ／Ｕ１２から送信されるリレー制御信号に基づいてオン・オフする。リモコンリレー１３がオンすると、図示しない電源から光源５へ電源供給されて、光源５が点灯する。リモコンリレー１３がオフすると、図示しない電源から光源５への電源供給が遮断されて、光源５が消灯する。
【００２８】
また、リモコンリレー１３は、負荷アドレスによって特定することができる。具体的には、リレー制御用Ｔ／Ｕ１２には、負荷チャンネル（ｃｈ）と呼ばれる固有のアドレスが割り当てられている。また、各リモコンリレー１３には、負荷ナンバー（Ｎｏ）と呼ばれる固有の識別子が割り当てられている。そして、負荷チャンネル（ｃｈ）と負荷ナンバー（Ｎｏ）とを組み合わせることにより、負荷アドレス（ｃｈ−Ｎｏ）が構成される。本実施形態では、リレー制御用Ｔ／Ｕ１２にアドレスとして負荷チャンネル０ｃｈが割り当てられ、各リモコンリレー１３に負荷ナンバーＮｏ１〜Ｎｏ４が割り当てられている。
【００２９】
また、本実施形態のスイッチ部２は、個別制御用スイッチ２１と、グループ制御用スイッチ２２と、パターン制御用スイッチ２３と、パターン・グループ設定用スイッチ２４とを備えている。以下、個別スイッチ２１，グループスイッチ２２，パターンスイッチ２３，ＰＧ設定スイッチ２４と称す。
【００３０】
本実施形態２のスイッチ部２は、個別スイッチ２１とグループスイッチ２２とパターンスイッチ２３とからなる点灯制御スイッチ部と、ＰＧ設定スイッチ２４からなる設定部とで構成されている。そして、個別スイッチ２１には個別アドレス、グループスイッチ２２にはグループアドレス、パターンスイッチ２３にはパターンアドレスが割り当てられている。制御部１は、各スイッチ２１〜２３のアドレスと、リレー制御用Ｔ／Ｕ１２の制御内容との対応関係を示すデータテーブルを記憶するメモリー１５を備えている。そして、伝送ユニット１１は、各スイッチ２１〜２３が操作されると、メモリー１５を参照して、そのスイッチ２１〜２３のアドレスに対応した制御内容を特定する。そして、伝送ユニット１１は、リレー制御用Ｔ／Ｕ１２を制御して各リモコンリレー１３をオン・オフすることで、光源５の点灯制御を行う。また、個別スイッチ２１を操作することで光源５を個別制御、グループスイッチ２２を操作することで光源５をグループ制御、パターンスイッチ２４を操作することで光源５をパターン制御することができる。以下に、個別制御，グループ制御，パターン制御について説明する。
【００３１】
まず個別制御について説明する。個別制御とは、個別の光源５を制御対象としており、個別スイッチ２１を操作することで制御対象となる１台の光源５を、点灯状態と消灯状態とに交互に切り替える制御である。本実施形態ではスイッチ部２に４つの個別スイッチ２１が設けられており、各個別スイッチ２１には各々のアドレスである個別アドレスＫ１〜Ｋ４が設定されている。個別アドレスＫ１〜Ｋ４は、各々が負荷アドレス０−１〜０−４に対応付けられて、メモリー１５に記憶されている。
【００３２】
例えば、個別アドレスがＫ１に設定された個別スイッチ２１を操作した場合、スイッチ部２から、個別アドレスＫ１に対応する光源５の点灯切り替えを指示する第１の指示信号が伝送ユニット１１に送信される。すると、伝送ユニット１１は、メモリー１５を参照して個別アドレスＫ１に対応する負荷アドレス０−１を特定する。そして、伝送ユニット１１は負荷チャンネルが０ｃｈのリレー制御用Ｔ／Ｕ１２に対して、負荷ナンバーがＮｏ１のリモコンリレー１３をオン・オフを指示する制御信号を送信する。この制御信号を受信したリレー制御用Ｔ／Ｕ１２は、負荷ナンバーがＮｏ１のリモコンリレー１３をオン・オフすることで、このリモコンリレー１３に接続された光源５の点灯・消灯される。
【００３３】
また、リレー制御用Ｔ／Ｕ１２は、各リモコンリレー１３のオン・オフ状態を示す状態信号を伝送ユニット１１に送信している。そして、状態信号を受信した伝送ユニット１１はメモリー１５を参照して、リモコンリレー１３の負荷アドレスに対応した個別アドレスが設定された個別スイッチ２１に対して、リモコンリレー１３のオン・オフ状態を示す状態信号を送信する。この状態信号に基づいて、個別スイッチ２１は図示しないＬＥＤを点灯させる。例えば、対象のリモコンリレー１３がオン状態であればＬＥＤを赤色に点灯させ、オフ状態であればＬＥＤを緑色に点灯させる。それによって、光源５と個別スイッチ２１とが離れた場所に設置されており、ユーザーが個別スイッチ２１を操作する際に、光源５の点灯状態を目視で確認できない場合でも、ＬＥＤを確認することで、光源５の点灯状態を確認することができる。
【００３４】
次に、グループ制御について説明する。グループ制御とは、同一グループに含まれる複数の光源５を制御対象としており、グループスイッチ２２を操作することで、同一グループ内の光源５を一括して、点灯状態と消灯状態とを交互に切り替える制御である。グループスイッチ２２には、アドレスとしてグループアドレスＧ１が設定されている。また、メモリー１５には、グループアドレスＧ１と、制御対象のグループとなる複数の負荷アドレスとが対応付けられたデータテーブルが記憶されている。例えば、グループアドレスＧ１には、負荷アドレス０−１，０−２が対応付けられているとして説明する。
【００３５】
グループアドレスがＧ１に設定されたグループスイッチ２２が操作された場合、スイッチ部２から、グループアドレスＧ１に対応する光源５の点灯切り替えを指示する第１の指示信号が伝送ユニット１１に送信される。伝送ユニット１１は、メモリー１５を参照してグループアドレスＧ１に対応する負荷アドレス０−１，０−２を特定する。そして、伝送ユニット１１は負荷チャンネルが０ｃｈのリレー制御用Ｔ／Ｕ１２に対して、負荷ナンバーがＮｏ１とＮｏ２のリモコンリレー１３がオン・オフを指示する制御信号を送信する。この制御信号を受信したリレー制御用Ｔ／Ｕ１２は、負荷ナンバーがＮｏ１とＮｏ２のリモコンリレー１３にリレー制御信号を送信して、このリモコンリレー１３をオン・オフすることで、このリモコンリレー１３に接続された光源５が一括的に点灯・消灯される。
【００３６】
次に、グループアドレスと負荷アドレスとを対応付けたデータをメモリー１５に設定する方法について説明する。例えば、グループアドレスＧ１と負荷アドレス０−１，０−２とを対応付けたデータをメモリー１５に設定する場合について以下説明する。
【００３７】
まず、スイッチ部２に設けられたＰＧ設定スイッチ２４を操作することで、スイッチ部２と伝送ユニット１１とがパターン・グループ設定モードに移行する。このとき、ＰＧ設定スイッチ２４に設けられた図示しないＬＥＤが点灯することで、スイッチ部２および伝送ユニット１１がパターン・グループ設定モードに移行したことを、ユーザーが確認することができる。スイッチ部２がパターン・グループ設定モードに移行した状態で、グループアドレスがＧ１のグループスイッチ２２を操作する。次に、負荷アドレスが０−１，０−２に対応付けられた個別アドレスがＫ１，Ｋ２に設定されている個別スイッチ２１を選択して操作する。このとき、個別アドレスがＫ１，Ｋ２に設定された個別スイッチ２１に設けられているＬＥＤが、緑色から赤色に切り替わることで、ユーザーが制御対象を確認しながら作業をすることができる。上記の操作によって、スイッチ部２からグループアドレスＧ１と個別アドレスＫ１，Ｋ２とが対応付けられたデータが付加された設定信号が伝送ユニット１１に送信される。この設定信号を受信した伝送ユニット１１は、メモリー１５にグループアドレスＧ１と負荷アドレス０−１，０−２とが対応付けられたデータを記憶する。そして、再びＰＧ設定スイッチ２４を操作することによって、スイッチ部２と伝送ユニット１１はパターン・グループ設定モードから通常モードに移行し、ＰＧ設定スイッチ２４に設けられたＬＥＤが消灯する。通常モードでは、上記で説明したように、グループアドレスがＧ１に設定されたグループスイッチ２３を操作することで負荷アドレスが０−１，０−２のリモコンリレー１３に接続された光源５を一括的に点灯・消灯することができる。
【００３８】
次に、パターン制御について説明する。パターン制御とは、複数の光源５を制御対象としており、パターンスイッチ２３を操作することで、制御対象の光源５を所定の制御状態（以下、パターン状態と称す）に一括的に切り替える制御である。すなわち、複数のパターンスイッチ２３を設けることで、複数の光源５のパターン状態を例えば全点灯，全消灯，間引き点灯などシーン切り替えを行うことができる。パターンスイッチ２３には、アドレスとしてパターンアドレスＰ１が設定されている。また、メモリー１５には、パターンアドレスＰ１と、制御対象となる複数の負荷アドレスと、この負荷アドレスに対する制御内容とが対応付けられたデータが記憶されている。例えば、パターンアドレスＰ１には、負荷アドレス０−１，０−２がオンし、負荷アドレス０−３，０−４がオフするように対応付けられている場合について説明する。
【００３９】
パターンアドレスがＰ１に設定されたパターンスイッチ２３が操作された場合、スイッチ部２から、パターンアドレスＰ１に対応する光源５の点灯切り替えを指示する第１の指示信号が伝送ユニット１１に送信される。伝送ユニット１１は、メモリー１５を参照してパターンアドレスＰ１に対応付けられた負荷アドレス０−１〜０−４と、この負荷アドレス０−１〜０−４の制御内容を特定する。そして、伝送ユニット１１は、負荷チャンネルが０ｃｈのリレー制御用Ｔ／Ｕ１２に対して、負荷ナンバーがＮｏ１，Ｎｏ２のリモコンリレー１３をオン、負荷ナンバーがＮｏ３，Ｎｏ４のリモコンリレー１３をオフを指示する制御信号を送信する。この制御信号を受信したリレー制御用Ｔ／Ｕ１２は、各リモコンリレー１３にリレー制御信号を送信して、負荷ナンバーがＮｏ１，Ｎｏ２のリモコンリレー１３をオンさせ、負荷ナンバーがＮｏ３，Ｎｏ４のリモコンリレー１３をオフさせる。それによって、負荷ナンバーがＮｏ１，Ｎｏ２のリモコンリレー１３に接続された光源５が点灯し、負荷ナンバーがＮｏ３，Ｎｏ４のリモコンリレー１３に接続された光源５が消灯する。
【００４０】
また、パターンアドレスがＰ２のパターンスイッチ２３が設けられていた場合、パターンアドレスＰ２には、負荷アドレス０−１，０−２がオフし、負荷アドレス０−３，０−４がオンするように対応付けられているとする。この場合、パターンアドレスがＰ１またはＰ２のパターンスイッチ２３を操作することで、点灯する光源５を切り替えることで、照明シーンの切り替えを行うことができる。
【００４１】
次に、パターンアドレスと負荷アドレスとを対応付けたデータをメモリーに設定する方法について説明する。例えば、パターンアドレスＰ１に負荷アドレス０−１，０−２のリモコンリレー１３がオンし、負荷アドレス０−３，０−４のリモコンリレー１３がオフするように対応付けたデータをメモリー１５に設定する場合について以下説明する。
【００４２】
まず、スイッチ部２に設けられたＰＧ設定スイッチ２４を操作することで、スイッチ部２と伝送ユニット１１とがパターン・グループ設定モードに移行する。スイッチ部２がパターン・グループ設定モードに移行した状態で、パターンアドレスがＰ１のパターンスイッチ２３を操作する。次に、負荷アドレスが０−１，０−２に対応付けられた個別アドレスがＫ１，Ｋ２の個別スイッチ２１を操作し、この個別スイッチ２１に設けられているＬＥＤを赤色に点灯させる。また、負荷アドレスが０−３，０−４に対応付けられた個別アドレスがＫ３，Ｋ４の個別スイッチ２１を操作し、この個別スイッチ２１に設けられているＬＥＤを緑色に点灯させる。個別スイッチ２１のＬＥＤが赤色に点灯することは、この個別スイッチ２１に対応するリモコンリレー１３に対してオンを指示し、ＬＥＤが緑色に点灯することは、この個別スイッチ２１に対応するリモコンリレー１３にオフを指示することを示している。それによって、ユーザーが制御対象となるリモコンリレー１３に対する制御内容を確認しながら作業をすることができる。上記の操作によって、スイッチ部２からパターンアドレスＰ１と、個別アドレスＫ１〜Ｋ４と、個別アドレスＫ１〜Ｋ４に対応する負荷アドレス０−１〜０−４の制御内容とが対応付けられたデータが負荷された設定信号が伝送ユニット１１に送信される。この設定信号を受信した伝送ユニット１１は、メモリー１５にパターンアドレスＰ１と、負荷アドレス０−１〜０−４と、負荷アドレス０−１〜０−４の制御内容とが対応付けられたデータを記憶する。そして、再びＰＧ設定スイッチ２４を操作することによって、スイッチ部２と伝送ユニット１１はパターン・グループ設定モードから通常モードに移行し、ＰＧ設定スイッチ２４に設けられたＬＥＤが消灯する。そして、通常モードでは、パターンアドレスＰ１のパターンスイッチ２３を操作することで、負荷アドレス０−１，０−２のリモコンリレー１３に接続された光源５が点灯し、負荷アドレス０−３，０−４のリモコンリレー１３に接続された光源５が消灯する。
【００４３】
また、本実施形態の照明制御システムは、発信器３と複数の受信器４とを備えており、無線信号を用いて光源５の点灯制御を行うことができる。発信器３にもスイッチ部２と同様に、アドレスが設定された個別スイッチ２１ａ，グループスイッチ２２ａ，パターンスイッチ２３ａとが設けられている。また、発信器３には無線信号を送信する無線送信部３１が設けられている。そして、スイッチ２１ａ〜２３ａのいずれかを操作すると、このスイッチ２１ａ〜２３ａに設定されたアドレスに対応する光源５の点灯制御を指示する第２の指示信号が無線送信部３１から受信器４に送信される。そして、受信器４は受信した第２の指示信号を中継し、信号線Ｌを介して伝送ユニット１１に送信する。第２の指示信号を受信した伝送ユニット１１は、メモリー１５を参照してアドレスに対応付けられた制御内容を特定し、リレー制御用Ｔ／Ｕ１２を制御して、光源５を点灯・消灯させる。
【００４４】
発信器３が出力する無線信号は、電波到達範囲が数十ｍと広範囲であり、他のシステムの受信器や設備との混信および誤動作を防止するために、初期設定として受信器４の各々に操作可能な発信器３を登録する必要がある。
【００４５】
発信器３には識別情報が設定されており、無線送信部３１が送信する無線信号には、自局の識別情報が付加されている。また、受信器４は、発信器３の識別情報が登録される記憶部４１を備えている。そして、受信器４は、記憶部４１に登録された識別情報と、無線送信部３１から送信される無線信号に付加された識別情報とが一致する場合、無線信号を中継して伝送ユニット１１に送信する。一方、記憶部４１に登録された識別情報と、無線送信部３１から送信される無線信号に付加された識別情報とが一致しない場合、受信器４は、受信した無線信号のデータを破棄する。また、受信器４には図示しないリセットスイッチが設けられており、このリセットスイッチを操作することで記憶部４１に登録された識別情報を削除することができる。以下に、受信器４の記憶部４１に発信器３の識別情報を登録する方法について説明する。
【００４６】
記憶部４１に発信器３の識別情報を登録するために、受信器４を登録モードにする必要がある。受信器４を登録モードにするには、まずスイッチ部２のＰＧ設定スイッチ２４を操作する。すると、上記で説明したように、伝送ユニット１１はパターン・グループ設定モードに移行する。このとき、パターン・グループ設定モードに移行した伝送ユニット１１は、信号線Ｌを介して受信器４に登録準備信号を送信する。そして、登録準備信号を受信した受信器４は登録モードに移行する。
【００４７】
発信器３は、登録スイッチ３２を備えており、登録スイッチ３２が操作されると、無線送信部３１から自局の識別情報の登録を要求する登録要求信号を送信する。登録モードに移行した受信器４が登録要求信号を受信すると、受信器４は登録要求信号に付加された識別情報を記憶部４１に登録する。そして、再度ＰＧ設定スイッチ２４が操作され、伝送ユニット１１がパターン・グループ設定モードから通常モードに移行すると、伝送ユニット１１は受信器４に準備解除信号を送信する。準備解除信号を受信した受信器４は、登録モードから通常モードに移行する。そして、通常モードの受信器４が第２の指示信号を受信し、記憶部４１に登録された識別情報と、第２の指示信号に付加された識別情報とが一致する場合、第２の無線信号を中継して伝送ユニット１１に送信する。
【００４８】
従来では、受信器４に発信器３の識別情報を登録するためには、受信器４に設けられた登録スイッチを操作することで、受信器４は登録モードに移行していた。しかし、本実施形態ではスイッチ部２に設けられたＰＧ設定スイッチ２４を操作することで、受信器４を登録モードに移行させることができる。したがって、本実施形態では、ユーザーが操作しやすい壁面等に設けられたスイッチ部２のＰＧ設定スイッチ２４を操作することで、受信器４の記憶部４１に発信器３の識別情報を登録できるので、作業性が容易となる。
【００４９】
さらに、ＰＧ設定スイッチ２４の操作は、パターン・グループ設定モードへの移行と、登録モードへの移行とを兼用しているので、受信器４を登録モードへ移行させるためだけのスイッチを設ける必要がない。そのため、従来の設備を用いることができ、コストを削減することができる。
【００５０】
また、本実施形態ではスイッチ部２にＰＧ設定スイッチ２４を設けて、パターン・グループ設定モードへの移行や、受信器４の設定モードへの移行を行っているが、スイッチ部２とは別体の設定器にＰＧ設定スイッチ２４を設けてもよい。この設定器を用いてパターン・グループ設定モードへの移行や、受信器４の設定モードへの移行を行い、パターン・グループの設定や、発信器３の識別情報の登録を行うことができる。ＰＧ設定スイッチ２４をスイッチ部２とは別体の設定器に設けることによって、パターン・グループの設定や、記憶部４１に登録される識別情報が、システムの管理者以外によって変更されるのを防止することができる。
【００５１】
また、本実施形態では、制御部１とスイッチ部２と受信器４とは、信号線Ｌを介して互いに信号を送受信しているが、無線信号を用いて信号を送受信するように構成してもよい。
【００５２】
また、本実施形態では、パターン・グループ設定モードに移行させるＰＧ設定スイッチ２４を操作することで、受信器４を登録モードに移行させている。しかし、ＰＧ設定スイッチ２４に限定するものではなく、制御部１による光源５の制御内容を設定するスイッチでもよい。例えば、各スイッチ２１〜２３に対して、アドレスを設定するアドレス設定スイッチを別に設け、このアドレス設定スイッチを操作すると、伝送ユニット１１は受信器４に登録準備信号を送信するように構成してもよい。
【００５３】
（実施形態２）
本実施形態の照明制御システムのブロック構成図を図３に示す。本実施形態の照明制御システムは、複数からなる受信器４ａ〜４ｃを備えており、各々には予め数字を含んで構成された固有情報ＩＤ１〜ＩＤ３が設定されている。また、受信器４ａ〜４ｃは、報知部としてＬＥＤ４２を各々に備えており、登録モードに移行すると、ＬＥＤ４２が点灯して、ユーザーに登録モード状態であることを報知することができる。なお、実施形態１と同一構成には、同一符号を付して説明は省略する。
【００５４】
実施形態１と同様に、スイッチ部２のＰＧ設定スイッチ２４が操作されると、伝送ユニット１１から受信器４ａ〜４ｃに登録準備信号が送信される。このとき、伝送ユニット１１は、まず固有情報の数字が最小の受信器４ａ（ＩＤ１）に登録準備信号を送信する。登録準備信号を受信した受信器４ａは、登録モードに移行し受信器４ａに設けられたＬＥＤ４２が点灯する。そして、所定時間経過後、伝送ユニット１１は受信器４ａに準備解除信号を送信し、次に固有情報の数字が小さい受信器４ｂ（ＩＤ２）に登録準備信号を送信する。すると、受信器４ａは登録モードが解除され、ＬＥＤ４２が消灯する。一方、受信器４ｂは登録モードに移行して、ＬＥＤ４２が点灯する。同様に、伝送ユニット１１は、所定時間が経過するにつれて、受信器４ａ〜４ｃを順次、登録モードに移行させる。なお、固有情報の数字が１番大きい受信器４ｃ（ＩＤ３）の次は、再び固有情報の数字が１番小さい受信器４ａ（ＩＤ１）を登録モードに移行させる。
【００５５】
そして、登録したい受信器４が登録モードに移行して、ＬＥＤ４２が点灯している時に、発信器３の登録スイッチ３２を操作して、無線送信部３１から登録要求信号を送信する。登録モードに移行している状態で、登録要求信号を受信した受信器４は、記憶部４１に登録要求信号に付加された識別情報を登録する。
【００５６】
そして、再度ＰＧ設定スイッチ２４が操作され、伝送ユニット１１がパターン・グループ設定モードから通常モードに移行する際に、伝送ユニット１１は各受信器４ａ〜４ｃに準備解除信号を送信し、各受信器４ａ〜４ｃを通常モードに移行させる。
【００５７】
このように、本実施形態では、受信器４ａ〜４ｃが所定時間ずつずれて、順次登録モードに移行するので、ユーザーが登録したい受信器４の記憶部４１のみに、発信器３の識別情報を登録することができる。したがって、記憶部４１に登録することができる識別情報の数に限度がある場合でも、記憶部４１の容量を有効に活用することができる。
【００５８】
また、受信器４が登録モード状態を維持する所定時間は、１０秒または３０秒などユーザーが自由に設定することができる。
【００５９】
また、受信器４の固有情報ＩＤ１〜ＩＤ３は、ユーザーが自由に設定できるように構成されていてもよいし、製造時に割り当てられるユニークＩＤ（例えば、ＭＡＣアドレスなど）または、伝送ユニット１１との通信時に用いられるアドレスであってもよい。
【００６０】
（実施形態３）
本実施形態の照明制御システムのブロック構成図を図４に示す。本実施形態の照明制御システムは、複数からなる受信器４ａ〜４ｃを備えており、各々に固有情報ＩＤ１〜ＩＤ３が設定されている。また、受信器４ａ〜４ｃは、自局の固有情報ＩＤ１〜ＩＤ３が付加された無線信号を送信する送信部４３を備えている。なお、実施形態２と同一構成には、同一符号を付して説明は省略する。
【００６１】
本実施形態の受信器４ａ〜４ｃは、登録モードに移行すると、ＬＥＤ４２が点灯すると共に、送信部４３から自局の固有情報ＩＤ１〜ＩＤ３が付加された準備完了信号を送信する。
【００６２】
本実施形態の発信器３は、送信部４３から送信される準備完了信号を受信する無線受信部３３と、無線受信部３３が受信した無線信号の電波強度を測定する測定部３４とを備えている。また、測定部３４の測定結果に基づいて、識別情報を登録する受信器を選択する信号処理部３５とを備えている。
【００６３】
発信器３は、無線受信部３３が受信器４ａ〜４ｃから送信される準備完了信号を受信すると、測定部３４が各準備完了信号の電波強度を測定する。そして、信号処理部３５が、測定部３４の測定結果から、電波強度が最大の準備完了信号に付加された固有情報を特定する。そして、登録スイッチ３１を操作すると無線送信部３２から、自局の識別情報と、信号処理部３５が特定した固有情報とが付加された登録要求信号が送信される。
【００６４】
受信器４ａ〜４ｃは、登録要求信号を受信し、この登録要求信号に付加された固有情報と、自局の固有情報とが一致した場合、この登録要求信号に付加された識別情報を記憶部４１に登録する。さらに、ＬＥＤ４２を点滅させることで、ユーザーに識別情報が登録された受信器４を報知する。
【００６５】
このように、本実施形態では、発信器３と確実に通信することができる受信器４の記憶部４１に、発信器３の識別情報を登録することができる。
【００６６】
また、登録要求信号を受信した受信器４が登録確認モードに移行するように構成した場合、以下の制御が行われる。
【００６７】
この場合、受信器４は登録要求信号を受信し、この登録要求信号に付加された固有情報と、自局の固有情報とが一致した場合、登録確認モードに移行する。そして、登録確認モードに移行した受信器４は、ＬＥＤ４２を点滅させ、ユーザーに識別情報の登録確認を行う。
【００６８】
また、発信器３には確定スイッチ３６が設けられており、確定スイッチ３６が操作されることで、無線送信部３１から登録確定信号が送信される。ＬＥＤ４２が点滅している受信器４が、ユーザーが登録したい受信器４である場合、確定スイッチ３６を操作して、無線送信部３１から登録確定信号を送信する。登録確認モードに移行した受信器４が、登録確定信号を受信した場合、記憶部４１に発信器３の識別情報を登録する。
【００６９】
もし、ＬＥＤ４２が点滅している受信器４が、ユーザーが登録したい受信器４とは異なる場合、再度登録スイッチ３２を操作する。すると、信号処理部３５が、測定部３４の測定結果から、電波強度が２番目に大きい準備完了信号に付加された固有情報を特定する。そして、無線送信部３１から、自局の識別情報と、信号処理部３５が特定した固有情報とが付加された登録要求信号が再度送信される。そして、この登録要求信号に付加された固有情報を有する受信器４が登録確認モードに移行して、ＬＥＤ４２が点滅する。
【００７０】
また、登録確認モードに移行している受信器４が再度登録要求信号を受信し、登録要求信号に付加された固有情報と、自局の固有情報とが一致しない場合は、登録確認モードが解除される。
【００７１】
このように、登録スイッチ３２を操作する度に、登録確認モードに移行する受信器４が、登録準備信号の電波強度の大きい順に順次切り替わるので、ユーザーが登録したい受信器４を選択することができる。すなわち、発信器３と確実に通信することができ、かつユーザーが登録したい受信器４の記憶部４１に、発信器３の識別情報を登録することができる。
【符号の説明】
【００７２】
１    制御部
２    スイッチ部
２ａ  点灯制御スイッチ部
２ｂ  設定部
３    発信器
４    受信器
５    光源
１１  伝送ユニット
１２  リレー制御用Ｔ／Ｕ
１３  リモコンリレー
１４  リモコントランス
１５  メモリー
２１  個別スイッチ
２２  グループスイッチ
２３  パターンスイッチ
２４  ＰＧ設定スイッチ
３１  無線送信部
３２  登録スイッチ
４１  記憶部
【図１】
0005685718.tif 000002
【図２】
0005685718.tif 000003
【図３】
0005685718.tif 000004
【図４】
0005685718.tif 000005
【図５】
0005685718.tif 000006